(57)【要約】【課題】ティッシュボックスに代表される各種のボックスに対して、小型で取り付けがしやすく、しかも安定した取り付け強度が得られるボックス用ホルダを提供する。【解決手段】器材取り付け片２の下面６ａに対し、常時付勢力で挟着し、さらに該付勢力に逆らって回動させることのできる鋭利な切っ先部１２を形成した差し込み片４を有するボックス用ホルダ１であり、差し込み片４をボックスＴの一側面Ｔａに対し切り込むように差し込んだ状態でボックスの裏面Ｔｂを器材取り付け片４と間接的に挟持して取り付けることができる。なお、この挟持は直接的に行っても良く、器材取り付け片と差し込み片は一体品で実施することもでき、さらに、切っ先部１２は器材取り付け片２で覆うことができる。【選択図】図９
2004097354.tif 000002
【特許請求の範囲】
【請求項１】
器材取り付け片の下面に対し、常時付勢力で狭着し、さらに該付勢力に逆らって回動させることのできる鋭利な切っ先部を形成した差し込み片を有することを特徴とするボックス用ホルダ
【請求項２】
付勢力は取り付け物を介在させることにより間接的に発生させることを特徴とする請求項１に記載のボックス用ホルダ
【請求項３】
器材取り付け片を段付きに形成し、その下段の略中央部に切り欠き部を介して一体的に差し込み片を形成したことを特徴とする請求項１または２に記載のボックス用ホルダ
【請求項４】
差し込み片に形成される切っ先部は器材取り付け片から突出しないように位置させたことを特徴とする請求項１〜３のいずれかに記載のボックス用ホルダ
【発明の詳細な説明】
【０００１】
【発明の属する技術分野】
本発明は、ティッシュ入りのボックスに代表される紙板製等のボックスを、冷蔵庫等の強磁性体製の被着物品や他の非磁性の物品等多くの被着物品に取り付けるのに適したボックス用ホルダに関するものである。
【０００２】
【従来の技術】
従来から、ティッシュボックス等の取り付け用としてのボックス用ホルダは多くの構造が知られていると共に多数出願されている。特に磁石を用いて磁気吸着により取り付けるタイプのボックス用ホルダは、鉄等の強磁性体で形成された、例えば冷蔵庫等の強磁性体製の被着物品に磁力により取り付けることができるため、ティッシュボックス等を希望の場所に設置できて便利であり、従来技術である実開昭６２−３１０３２号公報には、底面に磁石を設けた箱状体でティッシュボックスの底部を覆うと共に、ティッシュボックス側面に上記の箱状体に形成された複数の係止突片を作用させて取り付ける構造が開示されている。また、特開平１０−２０１６５９号公報に示されるように、裏面に磁石が取り付けられたコ字形の取り付け具にてティッシュボックス側面を保持爪などで押込む構造も公知である。
【実用新案文献】実開昭６２−３１０３２号公報
【特許文献】特開平１０−２０１６５９号公報
【０００３】
【発明が解決しようとする課題】
しかしながら、これら従来の構成によると、前者は大型のホルダが必要なためコスト高になると共に取り付け作業がしにくい不都合があり、さらにティッシュボックスの側面を係止突片で係合させる構造のため、上記の取り付け作業がしにくいことも影響して、安定した取り付け強度が得にくいものであった。
また、後者においては小型化はするものの、ティッシュボックス側面を保持爪等を用いて押込んで取り付ける構造のため、確実な取り付け状態が判りにくくて不充分な取り付けとなったり、押込みすぎてティッシュボックスを潰すなどの不都合を生じやすいものであった。
そこで、本発明は小型で取り付け作業がしやすく、しかも安定した取り付け強度も得られるボックス用ホルダ提供することを目的とする。
【０００４】
【課題を解決するための手段】
本発明は上記課題を解決するために鋭意検討の結果、ボックスの一側面に対し直接的に取り付けることができれば可能となることを究明したものであり、器材取り付け片の下面に対し、常時付勢力で狭着し、さらに該付勢力に逆らって回動させることのできる鋭利な切っ先部を形成した差し込み片を有するボックス用ホルダとすれば、差し込み片をボックスの一側面に対し切り込むように差し込んだ状態でボックスの裏面を器材取り付け片と狭持して取り付けることができる。
【０００５】
なお、付勢力はボックスの他の側面に相当する取り付け物を介在させることにより間接的に発生させることによっても実現することができる。このような構成にすれば、直接、取り付け片と差し込み片を接触させる必要がないため、各接触面を損傷させることがなくなる利点がある。
【０００６】
また、器材取り付け片を段付きに形成し、その下段の略中央部に切り欠き部を介して一体的に差し込み片を形成するようにすれば部材数を最小限とすることができるので、生産性の向上やコストダウンを図ることができる。
【０００７】
さらに、差し込み片に形成される切っ先部は器材取り付け片から突出しないように位置させるようにすれば、使用者が不用意に差し込み片の切っ先部に触れることがなく安全なものとすることができる。
【０００８】
【発明実施の形態】
本発明におけるボックス用ホルダは、ティッシュボックスに代表される紙板製等のボックスの一側面に差し込み片が直接切り込むように差し込まれ、さらに差し込み片と各種器材に取り付けるための器材取り付け片間にボックスの他の側面を狭持して取り付けることを特徴とするものであり、以下実施例に沿って詳細に説明する。
【０００９】
図１〜図１１は、本発明の第１の実施例を示す。
【００１０】
図１は本実施例の斜視図、図２は正面図、図３は図２におけるＡ−Ａ断面図を表したものであり、ボックス用ホルダ１は、合成樹脂製で板厚が約２ｍｍ程度の略楕円形で段付き状態に形成された器材取り付け片２と、その下段側にＵ字状に設けられる切り欠き部３を介して形成される差し込み片４とを一体状に構成してできている。
【００１１】
器材取り付け片２は各種器材への取り付け構造を搭載するものであり、本実施例においては、ボックスの一側面を挿入させるために形成する段部５の上段面６に板状の磁石７が接着により取り付けられており、強磁性体物品に磁力で取り付けることが可能となっている。また、下段面８には略瓢箪状の取り付け孔９が形成されており、器材からの鉤状の突起に引っ掛けることが可能であると共に、図４のような吸盤１０を図５の断面図に示すように着脱自在に取り付けて平坦面を有する各種の器材へ吸着による取り付けができるようになっている。なお、上記の磁石７は板状に限らず小型の磁力の強いネオジ磁石等を複数使用するようにしても良く、取り付け構造もこれらのものに限らず、磁石７の位置に図示しない両面接着テープを使用する等、他の手段で実施しても良い。
【００１２】
差し込み片４は、図３及び図２に示すように先端部１１の断面方向及び周囲方向に鋭利な角度に形成された切っ先部１２が設けられており、ティッシュボックスに代表される紙製等のボックスに直接切り込んで差し込める態様になっている。なお、先端部１１の側面も図６（ａ）に示すＢ−Ｂ端面図のように板状部を円弧状に湾曲するように形成され差し込みやすくなっている。但し、この湾曲は図６（ｂ）のように先端部１１’を板厚状態として円弧状に形成するようにしても良い。
【００１３】
また、差し込み片４の周囲は切り欠き部３により開放され、根元部１３が器材取り付け片２の下段面８と一体化された湾曲状の片持ち構造となっており、切っ先部１２の上面１４は器材取り付け片２の上段面６の下面６ａから肉厚分程度突出している。従って、この下面６ａと刺し込み片４間に後述するようにボックスの一側面が介在すると、刺し込み片４の先端部１１は下方に弾性的に回動して押し下げられ、その反作用で付勢力が生じることにより、ボックスの一側面を器材取り付け片２の上段面６の下面６ａと差し込み片４間で間接的に狭着することとなる。
【００１４】
次に、本実施例におけるボックス用ホルダをボックスの代表であるティッシュボックスに取り付ける場合の手順と作用について図７〜図９を用いて説明する。
【００１５】
先ず、図７に示す斜視図のように、ティッシュボックスＴの裏面Ｔｂにボックス用ホルダ１の取り付け片２の上段面６が重なる状態で、ティッシュボックスＴの一側面Ｔａにボックス用ホルダ１の差し込み片４の切っ先部１２が対向するように近づける。
【００１６】
次に図８のように、差し込み片４の先端部１１を指Ｆで矢印の方向に押し下げて切っ先部１２がティッシュボックスＴの裏面Ｔｂより下になるように位置させた状態で該切っ先部１２を、上記指Ｆを有する手とは反対の手で保持されたティッシュボックスＴの側面Ｔａに差し込む。
【００１７】
そして、切っ先部１２がティッシュボックスＴの側面Ｔａに切り込まれた時点で指Ｆの押し下げを解除し、さらに最後まで差し込むと図９に表わすように、ティッシュボックスＴの裏面Ｔｂの内面に対し差し込み片４の先端部１１の上面１４が矢印に示すように弾性的な付勢力をもって当接している。この状態で、ティッシュボックスＴの裏面Ｔｂの外面は器材取り付け片２の上段面６の下面６ａで移動できない状態となっているので、ティッシュボックスＴの裏面Ｔｂにはボックス用ホルダ１が狭持して取り付けられる。
【００１８】
同様の手順で、図１０に示すようにティッシュボックスＴの他方の側面Ｔａ’にボックス用ホルダ１’を取り付け、ボックス用ホルダ１，１’の磁石７，７’を強磁性体物品Ｋに近づけると、図１１に表されるようにティシュボックスＴはティッシュ取り出し口Ｔｃを有する表面Ｔｄが正面に露出するように強磁性体物品Ｋに磁気吸着により任意の角度で取り付けることができる。
【００１９】
なお、前述したとおり、各種器材への取り付け方法は磁気吸着によらなくても引っ掛け、吸盤による吸着、接着テープ等適宜の構造で実施できるが詳細な説明は割愛する。
【００２０】
上記の第１の実施例においては、器材取り付け片の下面に対して差し込み片を、ティッシュボックスの一側面を介して間接的に付勢力により狭着する構造となっていたが、直接的に狭持することは当然に可能である。
【００２１】
図１２は、第２の実施例を表したものであり、基本的な構成は第１の実施例と同様であるが、直接的な狭持構造とした点が異なっている。即ち、ボックス用ホルダ２１の差し込み片２４における先端部２５の上面２６は、器材取り付け片２２の上段面２３の下面２３ａに直接接触している。なお、この状態そのものを成形用の金型に加工することは困難であるが、射出成形後の熱収縮作用を利用すれば可能であり、例えば２７に示す深い目の湾曲部を設けたり、肉厚を変動させることにより、金型上は開いている差し込み片２４における先端部２５の上面２６と器材取り付け片２２の上段面２３の下面２３ａの間隙は成形品としては接触状態に仕上がる。
【００２２】
また、第１の実施例においては差し込み片の切っ先部を器材取り付け片の上段面にて囲う態様であったが、図１３に示す第３の実施例のように、ボックス用ホルダ３１の器材取り付け片３２における差し込み片３４の切っ先部３６に対向する部分を開放部３７としても実用状の支障はなく、この場合はボックス用ホルダ小型化できる利点がある。
【００２３】
なお、これまで述べた各実施例においては、差し込み片を器材取り付け片に一体的に形成していたが、別部材として構成することもできる。
【００２４】
図１４（ａ）は、第３の実施例を表したものであり、ボックス用ホルダ４１は器材取り付け部材４２と切っ先部４３を有する差し込み部材４４を回転ピン４５等で回動自在に結合し、差し込み部材４４をバネ部材４６により付勢する構造となっている。なお、本実施例においては回転ピン４５を省略した回動可能な凹凸嵌合を採用しても良いし、バネ部材４５についても図１４（ｂ）に表わすようにいずれかの部材に弾性片４６’を形成して省略するようにしても良い。また、差し込み部材４４を金属部材で実施すれば切っ先部４３をより鋭利なものとすることができ、差し込みの作業性を向上させることができる。
【００２５】
本発明は、ティッシュボックスに使用することを主体に説明したが、差し込み片の差し込みが可能であればそれ以外の各種紙製等のボックスに使用することも可能である。
【００２６】
【発明の効果】
本発明は、ティッシュボックス等のボックスの一側面に、差し込み片を切り込むように差し込むと共に、その付勢力によりボックスの他の側面を器材取り付け片間に狭持する構成のボックス用ホルダとしたので、小型で取り付け作業がしやすく、取り付けも確実にできるため安定した取り付け強度を得ることができる。
【図面の簡単な説明】
【図１】本発明による第１の実施例における斜視図を示す。
【図２】本発明による第１の実施例の正面図を示す。
【図３】本発明による第１の実施例におけるＡ−Ａ断面図を示す。
【図４】本発明による第１の実施例に使用可能な吸盤の斜視図を示す。
【図５】本発明による第１の実施例に吸盤を取り付けた場合のＡ−Ａ断面図を示す。
【図６】本発明による第１の実施例におけるＢ−Ｂ端面図を示し、（ａ）は実施例通りの形状、（ｂ）は変形例を示す。
【図７】本発明による第１の実施例をティッシュボックスの側面に取り付ける前の斜視図を示す。
【図８】本発明による第１の実施例をティッシュボックスの側面に取り付ける前の断面図を示す。
【図９】本発明による第１の実施例をティッシュボックスの側面に取り付けた状態の断面図を示す。
【図１０】本発明による第１の実施例をティッシュボックスの両側面に取り付けた状態の斜視図を示す。
【図１１】本発明による第１の実施例を取り付けたティッシュボックスを強磁性体物品に磁気吸着で取り付けた状態の斜視図を示す。
【図１２】本発明による第２の実施例を表す断面図を示す。
【図１３】本発明による第３の実施例を表す正面図を示す。
【図１４】本発明による第４の実施例を表す断面図であり、（ａ）はその全断面図、（ｂ）は部分変形例を示す。
【符号の説明】
Ｔ　ティッシュボックス
Ｔａ、Ｔｂ　一側面
Ｔｂ　裏面
Ｔｃ　ティッシュ取り出し口
Ｔｄ　表面
Ｆ　指
Ｋ　強磁性体物品
１、１’、２１、３１　ボックス用ホルダ
２、２２、３２　器材取り付け片
３　切り欠き部
４、２４、３４　差し込み片
５　段部
６　上段部
７、７’　磁石
８　下段部
９　取り付け孔
１０　吸盤
１１、１１’　先端部
１２　切っ先部
１３　根元部
１４　上面
２３　上段面
２３ａ　下面
２５　先端部
２６　上面
２７　湾曲部
３６　切っ先部
３７　開放部
４１　ボックス用ホルダ
４２　器材取り付け部材
４３　切っ先部
４４　差し込み部材
４５　回転ピン
４６　バネ部材
４６’　弾性片
【図１】
2004097354.tif 000003
【図２】
2004097354.tif 000004
【図３】
2004097354.tif 000005
【図４】
2004097354.tif 000006
【図５】
2004097354.tif 000007
【図６】
2004097354.tif 000008
【図７】
2004097354.tif 000009
【図８】
2004097354.tif 000010
【図９】
2004097354.tif 000011
【図１０】
2004097354.tif 000012
【図１１】
2004097354.tif 000013
【図１２】
2004097354.tif 000014
【図１３】
2004097354.tif 000015
【図１４】
2004097354.tif 000016
【手続補正書】
【提出日】平成15年8月19日(2003.8.19)
【手続補正１】
【補正対象書類名】明細書
【補正対象項目名】全文
【補正方法】変更
【補正の内容】
【特許請求の範囲】
【請求項１】器材取り付け片の下面に対し、常時付勢力で挟着し、さらに該付勢力に逆らって回動させることのできる鋭利な切っ先部を形成した差し込み片を有することを特徴とするボックス用ホルダ
【請求項２】付勢力は、取り付け物を介在させることにより間接的に発生させることを特徴とする請求項１に記載のボックス用ホルダ
【請求項３】器材取り付け片を段付きに形成し、その下段の略中央部に切り欠き部を介して一体的に差し込み片を形成したことを特徴とする請求項１または２に記載のボックス用ホルダ
【請求項４】差し込み片に形成される切っ先部は、器材取り付け片から突出しないように位置させたことを特徴とする請求項１〜３のいずれかに記載のボックス用ホルダ
【発明の詳細な説明】
【０００１】
【発明の属する技術分野】
本発明は、ティッシュ入りのボックスに代表される紙板製等のボックスを、冷蔵庫等の強磁性体製の被着物品や他の非磁性の物品等多くの被着物品に取り付けるのに適したボックス用ホルダに関するものである。
【０００２】
【従来の技術】
従来から、ティッシュボックス等の取り付け用としてのボックス用ホルダは多くの構造が知られていると共に多数出願されている。特に磁石を用いて磁気吸着により取り付けるタイプのボックス用ホルダは、鉄等の強磁性体で形成された、例えば冷蔵庫等の強磁性体製の被着物品に磁力により取り付けることができるため、ティッシュボックス等を希望の場所に設置できて便利であり、従来技術には、底面に磁石を設けた箱状体でティッシュボックスの底部を覆うと共に、ティッシュボックス側面に上記の箱状体に形成された複数の係止突片を作用させて取り付ける構造が知られている（実用新案文献１参照）。また、裏面に磁石が取り付けられたコ字形の取り付け具にてティッシュボックス側面を保持爪などで押込む構造も公知である（特許文献１参照）。
【０００３】
【実用新案文献１】
実願昭６０−１２０８２９号（実開昭６２−３１０３２号）のマイクロフィルム（第４−７頁、第１−９図）
【特許文献１】
特開平１０−２０１６５９号公報（第２−３頁、第１−６図）
【０００４】
【発明が解決しようとする課題】
しかしながら、これら従来の構成によると、実用新案文献１に開示された構造は、大型のホルダが必要なためコスト高になると共に取り付け作業がしにくい不都合があり、さらにティッシュボックスの側面を係止突片で係合させる構造のため、上記の取り付け作業がしにくいことも影響して、安定した取り付け強度が得にくいものであった。
また、特許文献２に開示された構造は、小型化はするものの、ティッシュボックス側面を保持爪等を用いて押込んで取り付ける構造のため、確実な取り付け状態が判りにくくて不充分な取り付けとなったり、押込みすぎてティッシュボックスを潰すなどの不都合を生じやすいものであった。
そこで、本発明は小型で取り付け作業がしやすく、しかも安定した取り付け強度も得られるボックス用ホルダ提供することを目的とする。
【０００５】
【課題を解決するための手段】
本発明は上記課題を解決するために鋭意検討の結果、ボックスの一側面に対し直接的に取り付けることができれば可能となることを究明したものであり、器材取り付け片の下面に対し、常時付勢力で挟着し、さらに該付勢力に逆らって回動させることのできる鋭利な切っ先部を形成した差し込み片を有するボックス用ホルダとすれば、差し込み片をボックスの一側面に対し切り込むように差し込んだ状態でボックスの裏面を器材取り付け片と挟持して取り付けることができる。
【０００６】
なお、付勢力は、ボックスの他の側面に相当する取り付け物を介在させることにより間接的に発生させることによっても実現することができる。このような構成にすれば、直接、取り付け片と差し込み片を接触させる必要がないため、各接触面を損傷させることがなくなる利点がある。
【０００７】
また、器材取り付け片を段付きに形成し、その下段の略中央部に切り欠き部を介して一体的に差し込み片を形成するようにすれば部材数を最小限とすることができるので、生産性の向上やコストダウンを図ることができる。
【０００８】
さらに、差し込み片に形成される切っ先部は、器材取り付け片から突出しないように位置させるようにすれば、使用者が不用意に差し込み片の切っ先部に触れることがなく安全なものとすることができる。
【０００９】
【発明実施の形態】
本発明におけるボックス用ホルダは、ティッシュボックスに代表される紙板製等のボックスの一側面に差し込み片が直接切り込むように差し込まれ、さらに差し込み片と各種器材に取り付けるための器材取り付け片間にボックスの他の側面を挟持して取り付けることを特徴とするものであり、以下実施例に沿って詳細に説明する。
【００１０】
図１〜図１１は、本発明の第１の実施例を示す。
【００１１】
図１は本実施例の斜視図、図２は正面図、図３は図２におけるＡ−Ａ断面図を表したものであり、ボックス用ホルダ１は、合成樹脂製で板厚が約２ｍｍ程度の略楕円形で段付き状態に形成された器材取り付け片２と、その下段側にＵ字状に設けられる切り欠き部３を介して形成される差し込み片４とを一体状に構成してできている。
【００１２】
器材取り付け片２は各種器材への取り付け構造を搭載するものであり、本実施例においては、ボックスの一側面を挿入させるために形成する段部５の上段面６に板状の磁石７が接着により取り付けられており、強磁性体物品に磁力で取り付けることが可能となっている。また、下段面８には略瓢箪状の取り付け孔９が形成されており、器材からの鉤状の突起に引っ掛けることが可能であると共に、図４のような吸盤１０を図５の断面図に示すように着脱自在に取り付けて平坦面を有する各種の器材へ吸着による取り付けができるようになっている。なお、上記の磁石７は板状に限らず小型の磁力の強いネオジ磁石等を複数使用するようにしても良く、取り付け構造もこれらのものに限らず、磁石７の位置に図示しない両面接着テープを使用する等、他の手段で実施しても良い。
【００１３】
差し込み片４は、図３及び図２に示すように先端部１１の断面方向及び周囲方向に鋭利な角度に形成された切っ先部１２が設けられており、ティッシュボックスに代表される紙製等のボックスに直接切り込んで差し込める態様になっている。なお、先端部１１の側面も図６（ａ）に示すＢ−Ｂ端面図のように板状部を円弧状に湾曲するように形成され差し込みやすくなっている。但し、この湾曲は図６（ｂ）のように先端部１１´を板厚状態として円弧状に形成するようにしても良い。
【００１４】
また、差し込み片４の周囲は切り欠き部３により開放され、根元部１３が器材取り付け片２の下段面８と一体化された湾曲状の片持ち構造となっており、切っ先部１２の上面１４は器材取り付け片２の上段面６の下面６ａから肉厚分程度突出している。従って、この下面６ａと差し込み片４間に後述するようにボックスの一側面が介在すると、差し込み片４の先端部１１は下方に弾性的に回動して押し下げられ、その反作用で付勢力が生じることにより、ボックスの一側面を器材取り付け片２の上段面６の下面６ａと差し込み片４間で間接的に挟着することとなる。
【００１５】
次に、本実施例におけるボックス用ホルダをボックスの代表であるティッシュボックスに取り付ける場合の手順と作用について図７〜図９を用いて説明する。
【００１６】
先ず、図７に示す斜視図のように、ティッシュボックスＴの裏面Ｔｂにボックス用ホルダ１の取り付け片２の上段面６が重なる状態で、ティッシュボックスＴの一側面Ｔａにボックス用ホルダ１の差し込み片４の切っ先部１２が対向するように近づける。
【００１７】
次に図８のように、差し込み片４の先端部１１を指Ｆで矢印の方向に押し下げて切っ先部１２がティッシュボックスＴの裏面Ｔｂより下になるように位置させた状態で該切っ先部１２を、上記指Ｆを有する手とは反対の手で保持されたティッシュボックスＴの側面Ｔａに差し込む。
【００１８】
そして、切っ先部１２がティッシュボックスＴの側面Ｔａに切り込まれた時点で指Ｆの押し下げを解除し、さらに最後まで差し込むと図９に表わすように、ティッシュボックスＴの裏面Ｔｂの内面に対し差し込み片４の先端部１１の上面１４が矢印に示すように弾性的な付勢力をもって当接している。この状態で、ティッシュボックスＴの裏面Ｔｂの外面は器材取り付け片２の上段面６の下面６ａで移動できない状態となっているので、ティッシュボックスＴの裏面Ｔｂにはボックス用ホルダ１が挟持して取り付けられる。
【００１９】
同様の手順で、図１０に示すようにティッシュボックスＴの他方の側面Ｔａ´にボックス用ホルダ１´を取り付け、ボックス用ホルダ１，１´の磁石７，７´を強磁性体物品Ｋに近づけると、図１１に表されるようにティシュボックスＴはティッシュ取り出し口Ｔｃを有する表面Ｔｄが正面に露出するように強磁性体物品Ｋに磁気吸着により任意の角度で取り付けることができる。
【００２０】
なお、前述したとおり、各種器材への取り付け方法は磁気吸着によらなくても引っ掛け、吸盤による吸着、接着テープ等適宜の構造で実施できるが詳細な説明は割愛する。
【００２１】
上記の第１の実施例においては、器材取り付け片の下面に対して差し込み片を、ティッシュボックスの一側面を介して間接的に付勢力により挟着する構造となっていたが、直接的に挟持することは当然に可能である。
【００２２】
図１２は、第２の実施例を表したものであり、基本的な構成は第１の実施例と同様であるが、直接的な挟持構造とした点が異なっている。即ち、ボックス用ホルダ２１の差し込み片２４における先端部２５の上面２６は、器材取り付け片２２の上段面２３の下面２３ａに直接接触している。なお、この状態そのものを成形用の金型に加工することは困難であるが、射出成形後の熱収縮作用を利用すれば可能であり、例えば２７に示す深い目の湾曲部を設けたり、肉厚を変動させることにより、金型上は開いている差し込み片２４における先端部２５の上面２６と器材取り付け片２２の上段面２３の下面２３ａの間隙は成形品としては接触状態に仕上がる。
【００２３】
また、第１の実施例においては差し込み片の切っ先部を器材取り付け片の上段面にて囲う態様であったが、図１３に示す第３の実施例のように、ボックス用ホルダ３１の器材取り付け片３２における差し込み片３４の切っ先部３６に対向する部分を開放部３７としても実用上の支障はなく、この場合はボックス用ホルダ小型化できる利点がある。
【００２４】
なお、これまで述べた各実施例においては、差し込み片を器材取り付け片に一体的に形成していたが、別部材として構成することもできる。
【００２５】
図１４（ａ）は、第３の実施例を表したものであり、ボックス用ホルダ４１は器材取り付け部材４２と切っ先部４３を有する差し込み部材４４を回転ピン４５等で回動自在に結合し、差し込み部材４４をバネ部材４６により付勢する構造となっている。なお、本実施例においては回転ピン４５を省略した回動可能な凹凸嵌合を採用しても良いし、バネ部材４５についても図１４（ｂ）に表わすようにいずれかの部材に弾性片４６´を形成して省略するようにしても良い。また、差し込み部材４４を金属部材で実施すれば切っ先部４３をより鋭利なものとすることができ、差し込みの作業性を向上させることができる。
【００２６】
本発明は、ティッシュボックスに使用することを主体に説明したが、差し込み片の差し込みが可能であればそれ以外の各種紙製等のボックスに使用することも可能である。
【００２７】
【発明の効果】
本発明は、ティッシュボックス等のボックスの一側面に、差し込み片を切り込むように差し込むと共に、その付勢力によりボックスの他の側面を器材取り付け片間に挟持する構成のボックス用ホルダとしたので、小型で取り付け作業がしやすく、取り付けも確実にできるため安定した取り付け強度を得ることができる。
【図面の簡単な説明】
【図１】本発明による第１の実施例における斜視図を示す。
【図２】本発明による第１の実施例の正面図を示す。
【図３】本発明による第１の実施例におけるＡ−Ａ断面図を示す。
【図４】本発明による第１の実施例に使用可能な吸盤の斜視図を示す。
【図５】本発明による第１の実施例に吸盤を取り付けた場合のＡ−Ａ断面図を示す。
【図６】本発明による第１の実施例におけるＢ−Ｂ端面図を示し、（ａ）は実施例通りの形状、（ｂ）は変形例を示す。
【図７】本発明による第１の実施例をティッシュボックスの側面に取り付ける前の斜視図を示す。
【図８】本発明による第１の実施例をティッシュボックスの側面に取り付ける前の断面図を示す。
【図９】本発明による第１の実施例をティッシュボックスの側面に取り付けた状態の断面図を示す。
【図１０】本発明による第１の実施例をティッシュボックスの両側面に取り付けた状態の斜視図を示す。
【図１１】本発明による第１の実施例を取り付けたティッシュボックスを強磁性体物品に磁気吸着で取り付けた状態の斜視図を示す。
【図１２】本発明による第２の実施例を表す断面図を示す。
【図１３】本発明による第３の実施例を表す正面図を示す。
【図１４】本発明による第４の実施例を表す断面図であり、（ａ）はその全断面図、（ｂ）は部分変形例を示す。
【符号の説明】
Ｔ　ティッシュボックス
Ｔａ、Ｔｂ　一側面
Ｔｂ　裏面
Ｔｃ　ティッシュ取り出し口
Ｔｄ　表面
Ｆ　指
Ｋ　強磁性体物品
１、１´、２１、３１　ボックス用ホルダ
２、２２、３２　器材取り付け片
３　切り欠き部
４、２４、３４　差し込み片
５　段部
６　上段部
７、７´　磁石
８　下段部
９　取り付け孔
１０　吸盤
１１、１１´　先端部
１２　切っ先部
１３　根元部
１４　上面
２３　上段面
２３ａ　下面
２５　先端部
２６　上面
２７　湾曲部
３６　切っ先部
３７　開放部
４１　ボックス用ホルダ
４２　器材取り付け部材
４３　切っ先部
４４　差し込み部材
４５　回転ピン
４６　バネ部材
４６´　弾性片


【手続補正３】
【補正対象書類名】図面
【補正対象項目名】図１３
【補正方法】変更
【補正の内容】
【図１３】
2004097354.tif 000017
【手続補正４】
【補正対象書類名】図面
【補正対象項目名】図１４
【補正方法】変更
【補正の内容】
【図１４】
2004097354.tif 000018